(57)【要約】      （修正有）【課題】熱交換器における放熱フィンの間に埃が入り込み、その埃が放熱フィン内に堆積していくことで、放熱フィンの目詰まりにより起因する熱交換性能の低下を防止することができる熱交換器を提供する。【解決手段】放熱フィン２２２を波型形状とし、複数の冷媒通路を並設させた扁平状を成し、かつ蛇行状に延設された冷媒通路管２２１の間に水平に配置することで、放熱フィンの埃２２５は波型形状の放熱フィン２２２のフィン谷部２２７には堆積するが、放熱フィン２２２のフィン山部２２６には堆積することがない。そのため放熱フィン２２２のフィン谷部２２７に埃が堆積しても、放熱フィン２２２のフィン山部２２６には埃２２５による目詰まりが発生することがなく、放熱フィン２２２による熱交換面積を確保することができ、熱交換性能を確保する。【選択図】図５
2012220137.tif 000002
【特許請求の範囲】
【請求項１】
複数の冷媒通路を並設させた扁平状を成し、かつ蛇行状に延設された冷媒通路管と、
前記冷媒通路管における互いに平行に延在しながら隣接する上流側の平行延在部位と下流側の平行延在部位との相互間に熱的に接続され、該冷媒通路管を通過する冷媒と、自身の周囲を通過する流体との熱交換を促進させる複数のフィン部材と
を備えた熱交換器において、
前記フィン部材は波型形状に屈曲されて形成され、前記冷媒通路管の平行延在部位の間に水平設置したことを特徴とする熱交換器。
【請求項２】
前記フィン部材において、波型形状に屈曲されて形成されたフィン山部とフィン谷部を略同一形状としたことを特徴とする請求項１に記載の熱交換器。
【発明の詳細な説明】
【技術分野】
【０００１】
本発明は、熱交換器に関し、より詳細には、冷凍サイクルやヒートポンプサイクル等を構成する熱交換器に関するものである。
【背景技術】
【０００２】
従来、例えば缶入り飲料やペットボトル入り飲料等の商品を販売する自動販売機では、自動販売機本体である本体キャビネットの商品収容庫の内部（室内）や、機械室（室外）に冷凍サイクルやヒートポンプサイクル等の構成機器である熱交換器が設けられている。
【０００３】
この種の熱交換器は、冷媒の流路が複数並設された扁平な冷媒通路管が蛇行する態様で延設され、この冷媒通路管の入口側には入口側ヘッダが、冷媒通路管の出口側には出口側ヘッダが接続されている。そして、冷媒通路管の垂直延在部位間にコルゲートフィンが接合配設されている。より詳細には、コルゲートフィンは、ルーバを切り起こしされており、上記冷媒通路管の垂直延在部位間に屈曲部外部が接合されて配設されている。（例えば、特許文献１参照）。
【先行技術文献】
【特許文献】
【０００４】
【特許文献１】特開平５−３２２４７８号公報
【発明の概要】
【発明が解決しようとする課題】
【０００５】
上述した特許文献１に提案されているような熱交換器を自動販売機の室外熱交換器として用いる場合には、フィン間の埃による目詰まりに注意する必要がある。つまり、上記熱交換器は、フィンの目詰まりによる熱交換量の減少を解決しなくてはならない。
【０００６】
本発明は、上記実情に鑑みて、自動販売機の熱交換器として用いられる場合においても、塵、埃などによる目詰まりに対して熱交換量を確保できる熱交換器を提供することを目的とする。
【課題を解決するための手段】
【０００７】
上記目的を達成するために、本発明の請求項１に係る熱交換器は、複数の冷媒通路を並設させた扁平状を成し、かつ蛇行状に延設された冷媒通路管と、前記冷媒通路管における互いに平行に延在しながら隣接する上流側の平行延在部位と下流側の平行延在部位との相互間に熱的に接続され、該冷媒通路管を通過する冷媒と、自身の周囲を通過する流体との熱交換を促進させる複数のフィン部材とを備えた熱交換器において、前記フィン部材は波型形状に屈曲されて形成され、前記冷媒通路管の平行延在部位の間に水平設置したことを特徴とする。
また、本発明の請求項２に係る熱交換器は、上述した請求項１において、前記フィン部材において、波型形状に屈曲されて形成されたフィン山部とフィン谷部を略同一形状としたことを特徴とする。
【発明の効果】
【０００８】
本発明によれば、波型形状の放熱フィンが複数の冷媒通路を並設させた扁平状を成し、かつ蛇行状に延設された冷媒通路管間に水平に配置されるため、放熱フィンに付着した埃は波型形状のフィン谷部の上面側に堆積するが、フィン山部の下面側には堆積しない。これにより放熱フィンのフィン谷部の上面側に埃が堆積しても、放熱フィンのフィン山部の下面側は埃目詰まりが発生しないためフィン熱交換面積を確保することができ、熱交換性能を確保することができる。また、本発明の放熱フィンは前記冷媒通路管の平行延在部位の間に水平設置することにより、堆積した埃は刷毛やブラシを用いて除去したり、電動掃除機で容易に除去することができるため、埃堆積による熱交換性能低下をリカバリーすることができる。それにより熱交換器風路の風速低下および風量の低下を抑えることができ、冷却効率低下を防止することができるという効果を奏する。
【図面の簡単な説明】
【０００９】
【図１】図１は、本発明の実施の形態である熱交換器が適用された自動販売機の斜視図である。
【図２】図２は、図１に示した自動販売機の内部構造を正面から見た断面図である。
【図３】図３は、図２に示した自動販売機の内部構造を示す断面側面図である。
【図４】図４は、図３に示した室外熱交換器を模式的に示す正面図である。
【図５】図５は、図３に示した室外熱交換器の放熱フィンを模式的に示す拡大図である。
【発明を実施するための形態】
【００１０】
以下に添付図面を参照して、本発明に係る熱交換器の好適な実施の形態について詳細に説明する。
図１は、発明の実施の形態である熱交換器が適用された自動販売機の斜視図である。
【００１１】
図２は、本発明の実施の形態である熱交換器が適用された自動販売機の内部構造を正面から見た場合を示す断面図である。ここで例示する自動販売機は、本体キャビネット１を備えている。
【００１２】
本体キャビネット１は、前面が開口した直方体の形態をなすものである。この本体キャビネット１には、その内部に例えば２つの断熱仕切板２によって仕切られた３つの独立した商品収容庫３が左右に並んだ態様で設けてある。この商品収容庫３は、缶入り飲料やペットボトル入り飲料等の商品を所望の温度に維持した状態で収容するためのもので、断熱構造を有している。
図３は、図２に示した自動販売機の内部構造を示す断面側面図である。かかる図３に示すように、本体キャビネット１の前面には、外扉４及び内扉５が設けてある。外扉４は、本体キャビネット１の前面開口を開閉するためのものである。内扉５は、商品収容庫３の前面を開閉するためのものであり、商品収容庫３の前面に配され、商品を補充する際に開閉するものである。
【００１３】
上記商品収容庫３には、商品収納ラック６、搬出機構７及び搬出シュータ８が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００１４】
そして搬出シュータ８の下方域には室内熱交換器２４及びヒータＨが配設してある。室内熱交換器２４は、背面ダクトＤの前面側に配設してある。この室内熱交換器２４は、機械室９に配設された圧縮機２１、室外熱交換器２２は、本実施の形態である熱交換器であり、膨張機構２３と冷媒配管２５を通じて順次接続されて冷媒回路（冷凍サイクル）２０を形成している。
【００１５】
圧縮機２１は、吸引口を通じて冷媒を吸引し、吸引した冷媒を圧縮して高温高圧の状態（高温高圧冷媒）にして吐出口より吐出するものである。室外熱交換器２２は、通過する冷媒を凝縮させるものである。より詳細に説明すると、圧縮機２１で圧縮され、かつ吐出口から吐出されて冷媒配管２５を通じて送出された冷媒を、凝縮ファン１２で取り込んだ周囲空気と熱交換させて凝縮させるものである。膨張機構２３は、通過する冷媒を減圧して断熱膨張させるものである。
【００１６】
これら冷媒回路２０で冷媒循環させることにより、圧縮機２１で圧縮された冷媒が室外熱交換器２２で凝縮され、その後に膨張機構２３で断熱膨張されて室内熱交換器２４を通過する。冷媒が室内熱交換器２４を通過する際に、該室内熱交換器２４が配設された商品収容庫３の内部空気（室内空気）との間で熱交換が行われて、自身が蒸発して内部空気を冷却する。蒸発した冷媒は圧縮機２１に吸引される。
【００１７】
冷却された内部空気は室内送風ファンＦ１の駆動により商品収容庫３の内部を移動し、これにより該商品収容庫３の商品収納ラック６に収納された商品は所望の温度（例えば５℃）に冷却されることになる。
【００１８】
ヒータＨは、室内送風ファンＦ１の前方域に配設してある。このヒータＨは通電状態となることにより周囲空気を加熱するものである。ヒータＨにより加熱された空気は、室内送風ファンＦ１の駆動により商品収容庫３の内部を移動し、これにより該商品収容庫３の商品収納ラック６に収納された商品は所望の温度（例えば５５℃）に加熱されることになる。
【００１９】
図４及び図５は、それぞれ図３に示した室外熱交換器２２を模式的に示すものであり、図４は正面図であり、図５は本発明にかかる放熱フィン２２２の拡大図である。ここで例示する室外熱交換器２２は、冷媒通路管２２１と、放熱フィン２２２と、入口管２２３と、出口管２２４とを備えて構成してある。
【００２０】
冷媒通路管２２１は、左右に蛇行して形成してある。そして空気の流れる方向に直角にある。入口管２２３は、冷媒通路管２２１の入口側端部に接続してあり、出口管２２４は、冷媒通路管２２１の出口側端部に接続してある。放熱フィン２２２は、波型形状に屈曲されて形成され、冷媒通路管２２１に挟まれるようにして上下にろう付け接合されている。これにより冷媒通路管２２１を通過する潜熱は、放熱フィン２２２により外部へ放熱されている。
【００２１】
本実施の形態である、室外熱交換器２２においては、図５に示すように、放熱フィン２２２のフィン谷部２２７の上面側には凝縮ファン１２による通風によって埃２２５が堆積していくため、放熱フィン２２２上面側からの熱交換量が低下する。しかし、放熱フィン２２２のフィン山部２２６の下面側には埃２２５の付着や堆積はなく、放熱フィン２２２下面側からの熱交換量は低下しない。従来のルーバ切り起こしフィンや、フィンアンドチューブなどでは、ルーバ部や垂直方向に並列した放熱フィン間全体に埃が堆積していくため、放熱フィン全面から熱交換量が低下する。また、放熱フィンの隙間の奥側に入り込んだ埃の除去は困難であり、一度低下した熱交換量を元通り復元させることは事実上不可能である。
【００２２】
このように、本発明は、波型形状の放熱フィン２２２が複数の冷媒通路を並設させた扁平状を成し、かつ蛇行状に延設された冷媒通路管２２１の間に水平に配置されるために、埃２２５は波型形状のフィンのフィン谷部２２７の上面側に堆積するが、フィン山部２２６の下面側には堆積しない。これにより、放熱フィン２２２の全体に埃２２５が堆積することがないため、フィン熱交換面積を確保することができ、熱交換性能を確保することができる。
【００２３】
また、従来の切り起こしフィンやフィンアンドチューブ式熱交換器のフィン間に深く堆積し目詰まりした埃は、ブラシや電動掃除機を用いても容易に除去できないが、本発明の放熱フィン２２２は波型水平配置のために、堆積した埃は刷毛またはブラシを用いて除去したり、電動掃除機で容易に除去することができるため、埃堆積による熱交換性能低下をリカバリーすることが容易である。そのため、熱交換器の風速低下および風量の低下を抑えることができ、冷却効率低下を防止することができる。
【産業上の利用可能性】
【００２４】
以上のように、本発明に係る波型形状の放熱フィンを有した熱交換器は、埃による熱交換性能低下を防ぎ、自動販売機等において商品を冷却等するのに用いられる冷凍サイクル等を構成する冷媒回路に有用である。
【符号の説明】
【００２５】
1    本体キャビネット
２０  冷媒回路
２１  圧縮機
２２  室外熱交換器
２２１  冷媒通路管
２２２  放熱フィン
２２３  入口管
２２４  出口管
２２５  埃
２２６  フィン山部
２２７  フィン谷部
２３  膨張機構
２４  室内熱交換器
２５  冷媒配管
【図１】
2012220137.tif 000003
【図２】
2012220137.tif 000004
【図３】
2012220137.tif 000005
【図４】
2012220137.tif 000006
【図５】
2012220137.tif 000007